(57)【要約】【課題】低コスト化を図りつつ、加熱消色記録剤が使用されているか否かの判定を行うことが可能な加熱消色記録剤使用判定用装置及び加熱消色記録剤使用判定装置を提供する。【解決手段】少なくともシートの一部を加熱する加熱手段１５と、前記加熱手段による加熱前後のシート上の画像を読み取る画像読取手段１６とを備えた加熱消色記録剤使用判定用装置において、シートが載置されるシート載置部材１１と、前記シート載置部材と対向する対向部材１２とを有しており、前記加熱手段及び前記画像読取手段を、前記シート載置部材と前記対向部材とのいずれかに設けた。【選択図】図１
2016178352.tif 000002
【特許請求の範囲】
【請求項１】
少なくともシートの一部を加熱する加熱手段と、
前記加熱手段による加熱前後のシート上の画像を読み取る画像読取手段とを備えた加熱消色記録剤使用判定用装置において、
シートが載置されるシート載置部材と、
前記シート載置部材と対向する対向部材とを有しており、
前記加熱手段及び前記画像読取手段を、前記シート載置部材と前記対向部材とのいずれかに設けたことを特徴とする加熱消色記録剤使用判定用装置。
【請求項２】
請求項１に記載の加熱消色記録剤使用判定用装置において、
前記加熱手段を前記シート載置部材に設け、前記画像読取手段を前記対向部材に設けたことを特徴とする加熱消色記録剤使用判定用装置。
【請求項３】
請求項１に記載の加熱消色記録剤使用判定用装置において、
前記加熱手段及び前記画像読取手段を前記対向部材に設けたことを特徴とする加熱消色記録剤使用判定用装置。
【請求項４】
請求項１に記載の加熱消色記録剤使用判定用装置において、
前記画像読取手段を前記シート載置部材に設け、前記加熱手段を前記対向部材に設けたことを特徴とする加熱消色記録剤使用判定用装置。
【請求項５】
請求項１に記載の加熱消色記録剤使用判定用装置において、
前記加熱手段及び前記画像読取手段を前記シート載置部材に設けたことを特徴とする加熱消色記録剤使用判定用装置。
【請求項６】
請求項１乃至５のいずれか一記載の加熱消色記録剤使用判定用装置において、
前記対向部材の位置を検知する位置検知手段を有することを特徴とする加熱消色記録剤使用判定用装置。
【請求項７】
請求項１乃至６のいずれか一記載の加熱消色記録剤使用判定用装置において、
前記対向部材と前記シート載置部材との接触を検知する接触検知手段を有することを特徴とする加熱消色記録剤使用判定用装置。
【請求項８】
請求項１乃至７のいずれか一記載の加熱消色記録剤使用判定用装置において、
加熱消色記録剤が使用されているか否かの判定を行う範囲を、ユーザーが指定する判定範囲指定手段を有することを特徴とする加熱消色記録剤使用判定用装置。
【請求項９】
請求項１乃至８のいずれか一記載の加熱消色記録剤使用判定用装置において、
前記対向部材は、前記シート載置部材に対して開閉可能に設けられた蓋であることを特徴とする加熱消色記録剤使用判定用装置。
【請求項１０】
請求項１乃至９のいずれか一記載の加熱消色記録剤使用判定用装置と、
前記画像読取手段で読み取った加熱前後の画像情報に基づいて加熱消色記録剤が使用されているか否かを判定する判定手段とを備えることを特徴とする加熱消色記録剤使用判定装置。
【発明の詳細な説明】
【技術分野】
【０００１】
本発明は、加熱消色記録剤使用判定用装置及び加熱消色記録剤使用判定装置に関するものである。
【背景技術】
【０００２】
従来から、加熱により発色状態から消色状態に移行する加熱消色記録剤たる加熱消色インクを用いたボールペンなどの筆記具が知られている。
【０００３】
例えば、特許文献１には、室温（２５［℃］）では、発色しており、６０［℃］以上で無色となる加熱消色インクを用いたボールペンが記載されている。このボールペンのキャップ部には、摩擦体が設けられており、加熱消色インクで紙に書かれた文字を摩擦体で数回擦ることで、摩擦熱により文字を加熱して６０［℃］以上にすることにより文字を消すことができるようになっている。また、このように文字を消した後、加熱消色インクが室温まで冷やされても、加熱消色インクは発色せず文字が消えたままである。
【発明の概要】
【発明が解決しようとする課題】
【０００４】
加熱消色インクを用いたボールペンで記載された文字は消せるため、文書の承認後に文字を消して書き直すなどの行為が行われるおそれがある。本願出願人は、加熱手段による加熱前後のシート上の画像を画像読取手段によって読み取って、加熱消色記録剤が使用されているか否かの判定を行う加熱消色記録剤使用判定装置の開発を行っている。この加熱消色剤使用判定装置は、シートを搬送する搬送ローラなどのシート搬送手段を有しており、シート搬送手段によるシート搬送経路中に画像読取手段と加熱手段とが設けられている。そして、画像読取手段により加熱前画像が読み取られたシートを加熱手段に搬送し、加熱手段によってシートを加熱する。加熱手段により加熱されたシートは画像読取手段に搬送され、画像読取手段によってシート上の加熱後画像を読み取る。しかしながら、前記加熱消色記録剤使用判定装置においては、前記シート搬送手段を設ける分、高コスト化を招いてしまう。
【課題を解決するための手段】
【０００５】
上記課題を解決するために、本発明は、少なくともシートの一部を加熱する加熱手段と、前記加熱手段による加熱前後のシート上の画像を読み取る画像読取手段とを備えた加熱消色記録剤使用判定用装置において、シートが載置されるシート載置部材と、前記シート載置部材と対向する対向部材とを有しており、前記加熱手段及び前記画像読取手段を、前記シート載置部材と前記対向部材とのいずれかに設けたことを特徴とする。
【発明の効果】
【０００６】
以上、本発明によれば、低コスト化を図りつつ、加熱消色記録剤が使用されているか否かの判定を行うことが可能となるという優れた効果がある。
【図面の簡単な説明】
【０００７】
【図１】実施形態１に係る加熱消色記録剤使用判定装置である加熱消色インク使用判定装置の概略構成図。
【図２】画像読取部の構成の一例を示す模式図。
【図３】熱源として複数のＩＨヒータを有する加熱部を装置本体に設けた場合の模式図。
【図４】加熱消色インク使用判定の制御ブロック図。
【図５】実施形態１に係る加熱消色インク使用判定装置における加熱消色インク使用判定制御の一例を示すフローチャート。
【図６】実施形態２に係る加熱消色記録剤使用判定装置である加熱消色インク使用判定装置の概略構成図。
【図７】画像読取部の構成の一例を示した模式図。
【図８】位置検知センサと上蓋開閉検知センサとが設けられた加熱消色インク使用判定装置の模式図。
【図９】実施形態２に係る加熱消色インク使用判定装置１における加熱消色インク使用判定制御の一例を示すフローチャート。
【図１０】実施形態３に係る加熱消色記録剤使用判定装置である加熱消色インク使用判定装置の概略構成図。
【図１１】実施形態４に係る加熱消色記録剤使用判定装置である加熱消色インク使用判定装置の概略構成図。
【図１２】（ａ）加熱消色インク判定開始前の表示の一例を示す図、（ｂ）加熱消色インク判定後の表示の一例を示す図。
【図１３】加熱消色インクが使用された部分を拡大表示した操作表示部を示す図。
【図１４】操作表示部の表示の他の例を示す図。
【図１５】画像範囲を指定できるようにした加熱消色インク使用判定の制御フロー図。
【図１６】操作表示部に表示される範囲設定画面の一例を示す図。
【発明を実施するための形態】
【０００８】
［実施形態１］
以下、本発明を、加熱消色記録剤使用判定装置である加熱消色インク使用判定装置に適用した第１の実施形態（以下、「実施形態１」という。）について説明する。図１は、実施形態１に係る加熱消色インク使用判定装置１の概略構成図である。加熱消色インク使用判定装置１は、シートが載置されるシート載置部材であるシート保持台１１に対して回動軸１３を中心に開閉可能な上蓋１２を備えている。
【０００９】
シート保持台１１の上蓋１２と対向する上面は、シートＰを置くためのシート置き部１４となっている。上蓋１２には、シート置き部１４に置かれたシートＰ上の加熱部１５による加熱前後の画像を読み取る画像読取部１６が設けられている。シート保持台１１内には、シートＰを加熱するための加熱部１５が設けられている。また、シート保持台１１内で加熱部１５の下に、画像読取部１６で読み取った加熱前後の画像情報に基づいて加熱消色インクが使用されているか否かを判定する判定部６ａを有する制御部６が設けられている。なお、本実施形態においては、シート保持台１１に判定部６ａを設けたが、必ずしもシート保持台１１に判定部６ａを設ける必要は無い。
【００１０】
図２は、画像読取部１６の構成の一例を示す模式図である。実施形態１に係る加熱消色インク使用判定装置１のように、シート全面に対応する面方向の大きさを確保して画像読取部１６を設置できる場合は、画像読取部１６として、複写機やスキャナなどで一般に用いられる画像読取方式を採用することができる。例えば、図２に示す画像読取部１６は、筐体１６０内に、光源１６１や反射ミラー１６２や結像レンズ１６３などが設けられ上蓋長手方向に走行可能な走行体ユニット１６４と、撮像素子１６５とを備えている。なお、筐体１６０のシート保持台１１と対向する側は開口しており、上蓋１２のシート保持台１１と対向する側の面は透明となっている。そして、シート保持台１１に対して上蓋１２を閉じた状態で、走行体ユニット１６４を上蓋長手方向に走行させながら、シート置き部１４に置かれたシートＰに光源１６１から光を発射する。これとともに、シートＰからの反射光を、反射ミラー１６２で反射し結像レンズ１６３を通して撮像素子１６５に入射させることで、シート全面に対して画像の読み取りを行うことができる。
【００１１】
また、図２に示したような画像読取部１６が走査してシートＰの画像を読み取る構成の場合には、シート保持台１１に対して上蓋１２が閉じた状態でないと、画像読取部１６による画像読取を開始しないようにしてもよい。これにより、画像読取部１６による画像読取時に、光源１６１から発射させた光以外の外乱光の影響を抑えることができる。
【００１２】
図３は、熱源として複数のＩＨヒータ１５１ａ，１５１ｂ，１５１ｃ，１５１ｄを有する加熱部１５をシート保持台１１に設けた場合の模式図である。図３に示す加熱部１５は、熱源として４つのＩＨヒータ１５１ａ，１５１ｂ，１５１ｃ，１５１ｄをシート置き部１４に沿って並べて設けている。そして、４つのＩＨヒータ１５１ａ，１５１ｂ，１５１ｃ，１５１ｄをＯＮし発熱させることで、シート保持台１１のシート置き部１４に置かれたシートＰが加熱消色インクの消色する温度まで加熱される。このように熱源としてＩＨヒータを使用することで、ＩＨヒータによる加熱はエネルギー効率に優れているため、設定温度までの待ち時間を短縮することが可能となる。また、加熱部１５による温度ムラを抑えることができる。
【００１３】
実施形態１に係る加熱消色インク使用判定装置１のように、加熱部１５と画像読取部１６とを、シート保持台１１と上蓋１２とに分けて配置することで、加熱部１５と画像読取部１６それぞれの大きさや方式などの構成の制約を低減させることができる。
【００１４】
実施形態１に係る加熱消色インク使用判定装置１においては、加熱部１５が加熱されていない状態で、上蓋１２に設けられたシート置き部１４に、加熱消色インクが使用されているかの判定を行いたいシートＰを置く。そして、シート保持台１１に対する上蓋１２の開閉動作によって、加熱消色記録剤である加熱消色インクの使用判定を行う。
【００１５】
図４は、加熱消色インク使用判定の制御ブロック図である。図４に示すように、加熱消色インク使用判定装置１は、不揮発性記憶手段たるメモリ５が設けられている。このメモリ５には、画像読取部１６が読み取った加熱前画像データが保存される加熱前画像情報保存部５ａと、画像読取部１６が読み取った加熱後画像が保存される加熱後画像情報保存部５ｂとを有している。
【００１６】
加熱消色インクが使用されていないと判定されたときは、加熱前画像情報保存部５ａに保存された加熱前画像データと、加熱後画像情報保存部５ｂに保存された加熱後画像データとが消去される。一方、加熱消色インクが使用されていると判定されたときは、加熱前画像データと加熱後画像データとが、そのまま保存される。このように、加熱消色インクが使用されていると判定されたとき、加熱前画像データと加熱後画像データとが消去されずにメモリ５に保存されるので、このメモリ５に保存されたこれら画像データを、加熱消色インクが使用された証拠として用いることができる。
【００１７】
また、加熱消色インクで記載された文字は、加熱することで消えてしまうが、加熱消色インクが使用されていると判定されたとき、加熱前画像データを消去せずにメモリ５に保存しておくことで、加熱で消えた画像を確認することができる。また、加熱して消えた文字などを、加熱消色インク以外のインクを用いた筆記具で再度、記載しなおす必要が生じることもある。特に、加熱消色インクを用いて、長文を記載した場合は、加熱消色インク以外のインクを用いた筆記具で再度、記載しなおすのは、大変な手間となる。しかし、消去せずにメモリ５に加熱前画像データを保存しておくことで、この加熱前画像データをプリンタなどに送信してプリントすることができる。これにより、加熱消色インク以外のインクを用いた筆記具で再度、記載しなおすなどの手間が生じることがない。また、プリンタで形成された画像は、加熱に消色することがない。
【００１８】
また、加熱消色インク使用判定装置１は、加熱部１５の加熱制御などの装置全体の制御を行う制御部６を有している。この制御部６には、加熱前画像と加熱後画像とを比較して、加熱消色インクが使用されたか否かの判定を行う判定部６ａを有している。制御部６は、判定部６ａで判定した結果に基づいて、判定結果報知部としての操作表示部５０を制御して、後述するような結果表示を行う。また、判定結果報知部としてのランプ１７を点灯させたり、スピーカー１８で警告音を発生させたりする。
【００１９】
なお、実施形態１の加熱消色インク使用判定装置１においては、回動軸１３を中心にシート保持台１１に対して上蓋１２が回動して開閉する構成となっているが、シート保持台１１に対して上蓋が上下方向に昇降して開閉する構成でもかまわない。
【００２０】
図５は、実施形態１に係る加熱消色インク使用判定装置１における加熱消色インク使用判定制御の一例を示すフローチャートである。まず、ユーザーが、加熱消色インク使用判定を行うシートＰを、判定対象の画像が形成されたシート面を上蓋１２側に向けてシート置き部１４に置き、シート保持台１１に対し上蓋１２を閉じた後、シートＰ上の画像が画像読取部１６に読み取られる（Ｓ１）。このように画像読取部１６で読み取られた加熱前画像データが、メモリ５の加熱前画像情報保存部５ａに保存される（Ｓ２）。
【００２１】
その後、加熱部１５をＯＮし加熱部１５によってシートＰを加熱する（Ｓ３）。この加熱部１５は、加熱消色インクが消色する温度（例えば、６０［℃］）以上でシートＰを加熱できるように制御されている。これにより、シートＰに加熱消色インクを用いて記載された画像は、加熱部１５の加熱で消色する。加熱部１５によるシートＰの加熱が開始されてから、予め設定された加熱消色インクが熱により消色し得る所定時間が経過したタイミングで、シートＰ上の画像を画像読取部１６で読み取る（Ｓ４）。画像読取部１６により読み取られた加熱後画像データは、メモリ５の加熱後画像情報保存部５ｂに保存される（Ｓ５）。また、画像読取部１６が加熱後画像を読み取ったら、加熱部１５をＯＦＦする。
【００２２】
制御部６は、画像読取部１６が加熱前画像を読み取ったら、判定部６ａで読み取った加熱前画像データを色分解する。分解するモードとしては、ＲＧＢモード、ＣＭＹＫモードのどちらのモードでもよい。次に、色分解された各色の画像データについて、２値化して黒（画素値１）の画素数を算出する。また、画像読取部１６が加熱後画像を読み取ったら、判定部６ａで読み取った加熱後画像データを色分解し、各色の画像データについて、２値化して黒の画素数を算出する。そして、判定部６ａで各色毎に加熱前画像データの黒の画素数から加熱後画像データの黒の画素数を差し引いて各色について、差分Ｓを算出する（Ｓ６）。この差分Ｓは、黒（画素値１）から白（画素値０）に変化した画素数であり、加熱前後で変化した画素数を表している。
【００２３】
次に、判定部６ａは各色について、差分Ｓと、加熱前の画像データの黒の画素数とを用いて変化度Ｒ（％）を算出する（変化度Ｒ（％）＝（差分Ｓ／加熱前の画像の黒の画素数）×１００）。この変化度Ｒは、加熱前後で黒（画素値１）から白（画素値０）へと変化した画素の割合である。算出した各色の変化度Ｒが設定された判定閾値Ｔを越えているか否かをチェックする（Ｓ７）。本実施形態では、判定閾値Ｔを５［％］とした。
【００２４】
加熱消色インクで記載された画像は、加熱部１５により加熱されたことで消えている。よって、加熱消色インクが使用されていた場合は、加熱後画像データの黒の画素数が、加熱前画像データの黒の画素数よりも少なくなっている。したがって、変化度Ｒが大きくなり、変化度Ｒが判定閾値Ｔを超える。一方、加熱消色インクが使用されていない場合は、加熱前後で同じ画像である。したがって、加熱後画像データの黒の画素数は、加熱前画像データの黒の画素数とほぼ同じである。よって、変化度Ｒは≒０であり、判定閾値Ｔ以下となる。よって、算出した各色の変化度Ｒのうち、ひとつでも判定閾値Ｔを越えている場合（Ｓ７でＹｅｓ）、判定部６ａは加熱消色インクが使用されていると判定する（Ｓ８）。一方、算出した各色の変化度Ｒすべてが判定閾値Ｔ以下の場合（Ｓ７でＮｏ）、判定部６ａは加熱消色インクが使用されていないと判定する（Ｓ９）。
【００２５】
また、判定閾値Ｔを、ユーザーにより任意に設定可能としてもよい。例えば、報告書など、加熱消色インクが用いられる可能性がある箇所が全体画像の半分以上あるような場合は、判定閾値Ｔを大きくしても精度のよい判定を行うことができる。一方、請求書や契約書など、全体の画像に対して、加熱消色インクが使用される可能性がある箇所が占める割合が少ない場合、判定閾値Ｔを小さく設定しないと、正しく判定できないおそれがある。そのため、判定閾値Ｔを、ユーザーにより任意に設定可能とすることで、判定する書類に応じた最適な判定閾値Ｔを設定することができ、より利便性の高い装置を提供することができる。
【００２６】
また、実施形態１では、加熱前後の画像データをそれぞれ色分解して各色毎に加熱消色インクの使用を判定しているが、色分解は行わずに、２値化して黒の画素数を算出してもよい。また、実施形態１では、変化度Ｒ（差分Ｓが加熱前の画像の画素数に対する割合）を用いて、加熱消色インクの使用を判定しているが、変化した画素数を示す差分Ｓに基づいて加熱消色インクの使用を判定してもよい。また、実施形態１では、２値化した画像データのうち黒（画素値１）の画素数に基づいて、変化した画素数を把握しているが、２値化した画像データのうち白（画素値０）の画素数に基づいて、変化した画素数を把握してもよい。この場合は、加熱後の白の画素数から加熱前の白の画素数を差し引くことで、差分Ｓ（加熱前後で変化した画素数）を算出することができる。
【００２７】
制御部６は、加熱消色インクが使用されていないと判定部６ａが判定した場合、メモリ５の各画像情報保存部に保存された判定したシートＰに対応する加熱前画像データと、加熱後画像データとを消去する。一方、加熱消色インクが使用されていると判定部６ａが判定した場合は、操作表示部５０を制御して使用者に加熱消色インクが使用されていることを報知する。また、ランプ１７を点灯制御したり、スピーカー１８で警告音を発生させたりして、使用者に加熱消色インクが使用されていることを報知する。また、加熱前画像情報保存部５ａに保存された加熱前画像データと、加熱後画像情報保存部５ｂに保存された加熱後画像データとを消去せずに、そのままメモリ５に保存しておく。
【００２８】
実施形態１では、シートＰに記載された文字などの画像が、加熱消色インクにより記載されたものか否かを判定することができる。そのため、例えば、書類に記載された内容の承認を行う承認者は、書類を承認する前に書類を加熱消色インク使用判定装置１にセットして、加熱消色インクを使用されたか否かの判定を行う。そして、加熱消色インクが使用されていないと判定された書類のみ承認するようにすることができる。
【００２９】
なお、加熱消色インクが使用されたか否かは、記載された文字などを擦って文字に摩擦熱を加えることで、加熱消色インクで記載された文字は消え、加熱消色インクが使用されたか否かを判定することができる。しかし、承認者が、書類一枚一枚について、記載された文字を擦って加熱消色インクが使用されたか否かを調べるのは煩雑であり、手間がかかる作業である。特に、大量の書類を承認する場合には、大変煩雑な作業となる。これに対し、加熱消色インク使用判定装置１を用いることで、承認者は、承認する書類をシート置き部１４に置いて上蓋１２の開閉を行うだけで、承認する書類に加熱消色インクが使用されたか否かを把握することができる。よって、手間をかけずに加熱消色インクが使用されたか否かを把握することができる。
【００３０】
また、シート置き部１４にシートＰを置いた状態で、画像読取部１６による加熱前後の画像の読み取りと、加熱部１５によるシートＰの加熱とを行えるので、シートＰを搬送する搬送ローラなどのシート搬送手段を設ける必要がない分、低コスト化を図れる。
【００３１】
［実施形態２］
図６は、実施形態２に係る加熱消色記録剤使用判定装置である加熱消色インク使用判定装置１の概略構成図である。なお、本実施形態に係る加熱消色インク使用判定装置１の基本的な構成は、加熱部１５及び画像読取部１６の配置位置が異なる以外、実施形態１に係る加熱消色インク使用判定装置１と同様の構成のため、その説明は省略する。
【００３２】
実施形態２に係る加熱消色インク使用判定装置１においては、図６に示すように加熱部１５と画像読取部１６とを上蓋１２に設けている。シート保持台１１に対して上蓋１２を開いた状態では、シート保持台１１のシート置き部１４に置かれたシートＰと、上蓋１２に設けられた加熱部１５との間の距離を稼ぐことができる。これにより、連続して異なるシートＰに対して加熱消色インク使用判定を行う場合、先のシートＰの判定後に加熱部１５が熱くなっていても、シート置き部１４に置かれた次のシートＰの画像が、その熱の影響を受けない。そのため、次のシートＰの加熱前画像が、画像読取部１６で読み取られる前に消色するのを抑制することができる。
【００３３】
図７は、画像読取部１６の構成の一例を示した模式図である。実施形態２に係る加熱消色インク使用判定装置１のように、画像読取部１６のレイアウトに制限がある場合は、シートＰの画像を定点から撮影するカメラによって読み取りを行う。例えば、図７に示すように、上蓋１２の先端に画像読取部１６としてカメラ１６６を設置し、シート保持台１１に対して上蓋１２が開かれた状態で、シート保持台１１のシート置き部１４に置かれたシートＰの画像をカメラ１６６で撮影して読み取る。
【００３４】
なお、上蓋１２に設けたカメラ１６６でシート全面を撮影し画像を読み取る場合には、カメラ１６６によるシートＰ上の画像の読取位置が一定していないと、画像の読み取り精度が悪化してしまう。そこで、図８に示すように、シート保持台１１に対する上蓋１２の位置（シート保持台１１に対する上蓋１２の開閉角度θ）を検知する位置検知センサ２０を、回動軸１３近傍に設ける。これにより、シート保持台１１に対する上蓋１２の位置を位置検知センサ２０で検知して、シート保持台１１に対して上蓋１２が一定の位置（例えば前記開閉角度θが７０度になった位置）で、カメラ１６６によりシート全面を撮影し画像を読み取る。このことで、カメラ１６６によるシートＰ上の画像の読取位置が一定でない場合よりも、画像の読み取り精度を向上させることができる。なお、位置検知センサ２０としては、例えば、ロータリーエンコーダを用いることができるが、これに限るものではなく、シート保持台１１に対する上蓋１２の位置（シート保持台１１に対する上蓋１２の開閉角度θ）を検知できるものであれば良い。
【００３５】
また、加熱消色インク使用判定装置１においては、図８に示すようにシート保持台１１に対する上蓋１２の開閉状態を検知する上蓋開閉検知センサ３０を設けても良い。この上蓋開閉検知センサ３０は、シート保持台１１に対して上蓋１２が開いた状態では、上蓋１２と接触しておらずシート置き部１４から上方に突出しており、シート保持台１１に対して上蓋１２が開いた状態であると検知している。一方、シート保持台１１に対して上蓋１２が閉じられると、上蓋１２により上蓋開閉検知センサ３０がシート保持台１１内に押し込まれ、シート保持台１１に対して上蓋１２が閉じた状態であると検知される。そして、上蓋開閉検知センサ３０により上蓋１２が閉じた状態を検知したら、加熱部１５による加熱を開始する。これにより、シート保持台１１に対して上蓋１２が閉じた状態以外で加熱部１５による加熱が開始されないようにすることができる。
【００３６】
なお、位置検知センサ２０や上蓋開閉検知センサ３０を、上述した実施形態１に係る加熱消色インク使用判定装置１に設けても良い。
【００３７】
図９は、実施形態２に係る加熱消色インク使用判定装置１における加熱消色インク使用判定制御の一例を示すフローチャートである。まず、ユーザーが、加熱消色インク使用判定を行うシートＰを、判定対象の画像が形成されたシート面を上蓋１２側に向けてシート置き部１４に置く（Ｓ１）。そして、ユーザーが上蓋１２を閉じていき、位置検知センサ２０によってシート保持台１１に対する上蓋１２の開閉角度θが所定角度（７０度）となった位置で、シートＰ上の画像を画像読取部１６で読み取る（Ｓ２）。このように画像読取部１６で読み取られた加熱前画像データが、メモリ５の加熱前画像情報保存部５ａに保存される（Ｓ３）。
【００３８】
その後、上蓋１２が閉じられていき、シート保持台１１に対して上蓋１２が閉じた状態であると上蓋開閉検知センサ３０によって検知されたら（Ｓ４）、加熱部１５をＯＮし加熱部１５によってシートＰを加熱する（Ｓ５）。この加熱部１５は、加熱消色インクが消色する温度（例えば、６０［℃］）以上でシートＰを加熱できるように制御されている。これにより、シートＰに加熱消色インクを用いて記載された画像は、加熱部１５の加熱で消色する。加熱部１５によりシートＰが加熱された後、上蓋１２を開いていき、位置検知センサ２０によって前記開閉角度θが所定角度（７０度）となった位置で、シートＰ上の画像を画像読取部１６で読み取る（Ｓ６）。画像読取部１６により読み取られた加熱後画像データは、メモリ５の加熱後画像情報保存部５ｂに保存される（Ｓ７）。なお、上蓋１２を開いていき、シート保持台１１に対して上蓋１２が開いた状態であると上蓋開閉検知センサ３０によって検知されたら、加熱部１５をＯＦＦする。
【００３９】
制御部６は、画像読取部１６が加熱前画像を読み取ったら、判定部６ａで読み取った加熱前画像データを色分解する。分解するモードとしては、ＲＧＢモード、ＣＭＹＫモードのどちらのモードでもよい。次に、色分解された各色の画像データについて、２値化して黒（画素値１）の画素数を算出する。また、画像読取部１６が加熱後画像を読み取ったら、判定部６ａで読み取った加熱後画像データを色分解し、各色の画像データについて、２値化して黒の画素数を算出する。そして、判定部６ａで各色毎に加熱前画像データの黒の画素数から加熱後画像データの黒の画素数を差し引いて各色について、差分Ｓを算出する（Ｓ８）。
【００４０】
次に、判定部６ａは各色について、差分Ｓと、加熱前の画像データの黒の画素数とを用いて変化度Ｒ（％）を算出する（変化度Ｒ（％）＝（差分Ｓ／加熱前の画像の黒の画素数）×１００）。そして、算出した各色の変化度Ｒが設定された判定閾値Ｔを越えているか否かをチェックする（Ｓ９）。本実施形態では、判定閾値Ｔを５［％］とした。算出した各色の変化度Ｒのうち、ひとつでも判定閾値Ｔを越えている場合（Ｓ９でＹｅｓ）、判定部６ａは加熱消色インクが使用されていると判定する（Ｓ１０）。一方、算出した各色の変化度Ｒすべてが判定閾値Ｔ以下の場合（Ｓ９でＮｏ）、判定部６ａは加熱消色インクが使用されていないと判定する（Ｓ１１）。
【００４１】
制御部６は、加熱消色インクが使用されていないと判定部６ａが判定した場合、メモリ５の各画像情報保存部に保存された判定したシートＰに対応する加熱前画像データと、加熱後画像データとを消去する。一方、加熱消色インクが使用されていると判定部６ａが判定した場合は、操作表示部５０を制御して使用者に加熱消色インクが使用されていることを報知する。また、ランプ１７を点灯制御したり、スピーカー１８で警告音を発生させたりして、使用者に加熱消色インクが使用されていることを報知する。また、加熱前画像情報保存部５ａに保存された加熱前画像データと、加熱後画像情報保存部５ｂに保存された加熱後画像データとを消去せずに、そのままメモリ５に保存しておく。
【００４２】
実施形態２に係る加熱消色インク使用判定装置１においても、シート置き部１４にシートＰを置いた状態で、画像読取部１６による加熱前後の画像の読み取りと、加熱部１５によるシートＰの加熱とを行うことができる。よって、シートＰを搬送する搬送ローラなどのシート搬送手段を設ける必要がない分、低コスト化を図れる。
【００４３】
［実施形態３］
図１０は、実施形態３に係る加熱消色記録剤使用判定装置である加熱消色インク使用判定装置１の概略構成図である。なお、実施形態３に係る加熱消色インク使用判定装置１の構成は、加熱部１５及び画像読取部１６の配置位置が異なる以外、実施形態１に係る加熱消色インク使用判定装置１と同様の構成のため、その説明は省略する。また、実施形態２に係る加熱消色インク使用判定装置１に設けられた位置検知センサ２０や上蓋開閉検知センサ３０を、実施形態３に係る加熱消色インク使用判定装置１に設けても良い。
【００４４】
実施形態３に係る加熱消色インク使用判定装置１においては、加熱部１５を上蓋１２に設けており、画像読取部１６をシート保持台１１に設けている。これにより、上蓋１２に加熱部１５と画像読取部１６との両方を設ける場合よりも、加熱部１５の配置位置によらず画像読取部１６のレイアウトを単純化することができるため、画像読取部１６の構成（読み取り方式）の選択肢を広げることができる。
【００４５】
なお、実施形態３に係る加熱消色インク使用判定装置１に設けられる画像読取部１６の構成としては、実施形態１に係る加熱消色インク使用判定装置１に設けられる画像読取部１６と略同様の構成のものを採用することができる。このとき、実施形態３では、画像読取部１６がシート保持台１１に設けられることから、シート保持台１１のシート置き部１４を透明にし、画像読取部１６を構成する筐体１６０（図２参照）のシート置き部１４側を開口させれば良い。また、実施形態３における加熱消色インク使用判定制御は、判定対象の画像が形成されたシート面をシート置き部１４側に向けてシート置き部１４にシートＰを置く以外は、実施形態１と同様の制御フローで行えるため、その説明は省略する。
【００４６】
実施形態３においても、シート置き部１４にシートＰを置いた状態で、画像読取部１６による加熱前後の画像の読み取りと、加熱部１５によるシートＰの加熱とを行うことができる。よって、シートＰを搬送する搬送ローラなどのシート搬送手段を設ける必要がない分、低コスト化を図れる。
【００４７】
［実施形態４］
図１１は、実施形態４に係る加熱消色記録剤使用判定装置である加熱消色インク使用判定装置１の概略構成図である。なお、実施形態４に係る加熱消色インク使用判定装置１の構成は、加熱部１５及び画像読取部１６の配置位置が異なる以外は、実施形態１に係る加熱消色インク使用判定装置１と同様の構成のため、その説明は省略する。また、実施形態２に係る加熱消色インク使用判定装置１に設けられた位置検知センサ２０や上蓋開閉検知センサ３０を、実施形態４に係る加熱消色インク使用判定装置１に設けても良い。
【００４８】
実施形態４に係る加熱消色インク使用判定装置１においては、加熱部１５と画像読取部１６とをシート保持台１１に設けている。これにより、加熱部１５と画像読取部１６との少なくとも一方を上蓋１２に設けた場合よりも、上蓋１２を軽量化することができる。よって、ユーザーによる上蓋１２の開閉動作を行い易くしたり、シート保持台１１に対する上蓋１２の可動部分（回動軸１３）にかかる負荷が小さくなって壊れ難くしたりすることができる。
【００４９】
なお、実施形態４に係る加熱消色インク使用判定装置１に設けられる画像読取部１６の構成としては、実施形態３に係る加熱消色インク使用判定装置１に設けられる画像読取部１６と同様の構成のものを採用することができる。また、実施形態４における加熱消色インク使用判定制御は、判定対象の画像が形成されたシート面をシート置き部１４側に向けてシート置き部１４にシートＰを置く以外は、実施形態１と同様の制御フローで行えるため、その説明は省略する。
【００５０】
実施形態４においても、シート置き部１４にシートＰを置いた状態で、画像読取部１６による加熱前後の画像の読み取りと、加熱部１５によるシートＰの加熱とを行うことができる。よって、シートＰを搬送する搬送ローラなどのシート搬送手段を設ける必要がない分、低コスト化を図れる。
【００５１】
図１２は、操作表示部５０の表示の一例を示す図である。図１２（ａ）は、加熱消色インク判定開始前の表示の一例を示す図であり、図１２（ｂ）は、加熱消色インク判定後の表示の一例を示す図である。
【００５２】
実施形態１、２、３及び４に係る加熱消色インク使用判定装置１において、例えば、ユーザーがシートＰをシート置き部１４に置くと、図１２（ａ）に示すような画像が操作表示部５０に表示され、加熱消色インク判定動作が開始可能となる。そして、読み取り開始ボタン５０ａを押すことで、または、上蓋１２の開閉動作を行うことで、上述したようにして、加熱前画像と加熱後画像とが画像読取部１６により読み取られ、上述した判定部６ａで加熱消色インクが使用されたか否かが判定される。上述した判定部６ａで判定が行われると、図１２（ｂ）に示すように、操作表示部５０に判定結果が表示される。消色インクが使用されていた場合は、「消色あり」と表示するとともに、読み取られた加熱前画像と加熱後画像とが表示される。このように、操作表示部５０に加熱前画像と加熱後画像とを表示することにより、加熱前画像と加熱後画像との差異を確認でき、シートＰのどこの部分に加熱消色インクが使用されていたかを把握することができる。この図１２（ｂ）に示す例では、金額の記載に加熱消色インクが使用されていたことが確認できる。
【００５３】
また、図１２（ｂ）に示す例では、消色部分拡大ボタンを表示し、ユーザーがそのボタンにタッチすると、図１３に示すように、操作表示部５０の加熱前画像と加熱後画像とを表示する箇所に、加熱消色インクが使用された部分が拡大表示される。例えば、加熱消色インクが使用された箇所が一部で、図１２（ｂ）に示す加熱前画像と、加熱後画像の全体表示からでは、加熱消色インクが使用された箇所を把握するのが困難な場合がある。このとき、ユーザーは、消色部分拡大ボタン５０ｂにタッチして、図１３に示すように、加熱消色インクが使用された部分を拡大表示させることで、加熱消色インクが使用された箇所を容易に把握することができる。
【００５４】
また、加熱消色インクが使用されていた場合、読み取った加熱前画像データや加熱後画像データは、メモリ５から消去されず、そのまま保存される。そして、操作表示部５０を操作することにより、メモリ５に保存された加熱前画像データや加熱後画像データを表示して内容を確認することができる。しかし、加熱消色インクが使用されているか否かを判定する書類が機密文書などであり、第三者に見られると問題となる場合もある。よって、図１４に示すように、操作表示部５０に、保存設定画像を表示し、ユーザーに読み取った画像をメモリ５に保存するか否かを設定できるようにしてもよい。
【００５５】
判定する書類が機密文書などで、第三者に見られると問題となる書類の場合は、ユーザーは、保存設定画像５０ｃの「ＯＦＦ」ボタンをタッチする。これにより、判定部６ａで加熱消色インクが使用されたと判定された場合でも、判定後にメモリ５の各画像情報保存部に保存された加熱前画像データや加熱後画像データが消去される。これにより、文書の機密を、保持して、加熱消色インクが使用されたか否かを判定することができる。また、加熱消色インクの使用を判定する範囲を指定できるようにしてもよい。
【００５６】
図１５は、画像範囲を指定できるようにした加熱消色インク使用判定の制御フロー図である。まず、ユーザーが、操作表示部５０を操作して画像範囲指定モードを実行する。また、加熱消色インク使用判定装置１がパーソナルコンピュータに接続して使用される場合は、パーソナルコンピュータにインストールされたアプリケーションソフトから画像範囲指定モードを実行する。画像範囲指定モードが実行されたら、制御部６は、操作表示部５０やパーソナルコンピュータの画面に、範囲指定するシートＰをシート置き部１４に置いて上蓋１２を閉じる旨の指示を表示する。ユーザーがシート置き部１４に範囲指定するシートＰを置いて上蓋１２を閉じると、シートＰ上の画像が画像読取部１６に読み取られる。なお、このとき、加熱部１５はＯＦＦとなっている。そして、画像読取部１６で読み取られた画像が、操作表示部５０やパーソナルコンピュータの画面に表示される。
【００５７】
図１６は、操作表示部５０に表示される範囲設定画面の一例である。図１６に示すように、読み取られた範囲指定する画像が表示されるとともに、指定範囲設定画面５０ｄが表示される。読み取られた範囲指定する画像上には、指定枠５０ｆも表示されている。ユーザーは、指定範囲設定画面５０ｄの『□』に数値を入力して、範囲指定を行う。指定範囲設定画面の『上』は、指定枠５０ｆの上端の位置に対応し、指定範囲設定画面の『下』は、指定枠５０ｆの下端の位置に対応する。また、指定範囲設定画面の『右』は、指定枠５０ｆの右端の位置に対応し、指定範囲設定画面の『左』は、指定枠５０ｆの左端の位置に対応する。例えば、指定範囲設定画面の『上』の『□』に表示されている『９８』よりも大きな数値を入力すると、指定枠５０ｆの上端の位置が上方へと移動し、指定枠５０ｆの上下方向範囲が広がる。
【００５８】
図１５に戻って、範囲指定する画像と指定枠５０ｆとを確認しながら、指定範囲設定画面『□』に数値を入力し、判定する画像範囲を指定する（Ｓ１１）。判定する画像範囲の指定が終わったら、ユーザーは指定終了ボタン５０ｅをタッチする。制御部６は、指定終了ボタン５０ｅが押されたら、範囲指定する画像と、指定範囲（入力された上下左右の値）とを関連づけて、不揮発性メモリに記憶する。これにより、次回、同じ書類について、加熱消色インクの使用判定を行う場合は、範囲設定の作業を省略できる。
【００５９】
なお、図１６では、画素数（ピクセル）で位置を指定しているが、用紙基準端部からの長さ（ｍｍ）で位置を指定するようにしてもよい。また、画素で設定するか、長さで設定するかを、ユーザーが選択できるようにしてもよい。
【００６０】
このように、判定する画像範囲を指定したら、上述したようにして画像読取部１６により加熱前画像と加熱後画像とを読み取る（Ｓ１２、Ｓ１３）。この際、画像読取部１６によって読み取られる画像範囲は、指定した画像範囲である。これにより、読み取り画像のデータを少なくすることができる。次に、判定部６ａで、各色の差分Ｓを算出する（Ｓ１４）。この場合、加熱前後の画像データを色分解したり、２値化して画素数を算出したりする所定の画像処理を行うが、画像データが少ないため、演算負荷が少なくてすみ、すばやく差分Ｓを算出することができる。
【００６１】
次に、算出した差分Ｓに基づいて変化度Ｒを算出し、変化度Ｒが判定閾値Ｔを超えるか否かをチェックする（Ｓ１５）。この場合も判定する画像範囲を指定しているため、加熱使用インクの検出の感度を上げることができる。先の図１６に示すように、指定した画像範囲は、全体の画像データの１０［％］に満たない範囲である。しかも、図１６に示した画像においては、加熱消色インクが使用されるおそれがあるのは、『￥』の横の金額を記入する欄であり、指定した画像範囲よりも全体の画像データに占める割合は小さい。その結果、書類の記載内容によっては、加熱消色インクが使用されていたとしても、その変化度Ｒが数［％］となるおそれもある。
【００６２】
一方、判定する画像範囲を指定することにより、加熱消色インクが使用されるおそれがある箇所が占める割合を大きくすることができる。その結果、加熱消色インクが使用されていた場合、その変化度Ｒが大きくなる。これにより、加熱使用インクの検出の感度を高めることができ、精度のよい判定を行うことができる。
【００６３】
算出した各色の変化度Ｒのうち、ひとつでも判定閾値Ｔを越えている場合（Ｓ１５でＹｅｓ）、判定部６ａは加熱消色インクが使用されていると判定する（Ｓ１６）。一方、算出した各色の変化度Ｒすべてが判定閾値Ｔ以下の場合（Ｓ１５でＮｏ）、判定部６ａは加熱消色インクが使用されていないと判定する（Ｓ１７）。
【００６４】
以上に説明したものは一例であり、本発明は、次の態様毎に特有の効果を奏する。
（態様Ａ）
少なくともシートＰなどのシートの一部を加熱する加熱部１５などの加熱手段と、前記加熱手段による加熱前後のシート上の画像を読み取る画像読取部１６などの画像読取手段とを備えた加熱消色記録剤使用判定用装置において、シートが載置されるシート保持台１１などのシート載置部材と、前記シート載置部材と対向する上蓋１２などの対向部材とを有しており、前記加熱手段及び前記画像読取手段を、前記シート載置部材と前記対向部材とのいずれかに設けた。
（態様Ａ）では、シート載置部材に置かれたシート上の加熱前画像を、シート載置部材または対向部材に設けた画像読取手段で読み取った後、シート載置部材にシートが置かれた状態で、シート載置部材または対向部材に設けた加熱手段によりシートを加熱できる。その後、加熱手段により加熱されたシートがシート載置部材に置かれたままの状態で、前記画像読取手段によりシート上の加熱後の画像を読み取ることができる。そして、加熱前後の画像を比較することにより、加熱消色記録剤が使用されたか否かを判定することが可能となる。また、シート載置部材にシートを置いた状態で、画像読取手段による加熱前後の画像の読み取りと、加熱手段によるシートの加熱とを行えるので、シートを搬送する搬送ローラなどのシート搬送手段を設ける必要がない分、低コスト化を図ることができる。
（態様Ｂ）
（態様Ａ）において、前記加熱手段を前記シート載置部材に設け、前記画像読取手段を前記対向部材に設けた。これによれば、上記実施形態について説明したように、加熱手段と画像読取手段とを、前記シート載置部材と前記対向部材とに分けて配置することで、加熱手段と画像読取手段それぞれの構成の制約を低減させることができる。
（態様Ｃ）
（態様Ａ）において、前記加熱手段及び前記画像読取手段を前記対向部材に設けた。これによれば、上記実施形態について説明したように、画像読取手段による画像読取前に、余熱によって加熱消色記録剤が消色するのを抑制することができる。
（態様Ｄ）
（態様Ａ）において、前記画像読取手段を前記シート載置部材に設け、前記加熱手段を前記対向部材に設けた。これによれば、上記実施形態について説明したように、レイアウトの制約を軽減するとともに、画像読取手段による画像読取前に、余熱によって加熱消色記録剤が消色するのを抑制することができる。
（態様Ｅ）
（態様Ａ）において、前記加熱手段及び前記画像読取手段を前記シート載置部材に設けた。これによれば、上記実施形態について説明したように、前記対向部材の軽量化を図ることができる。
（態様Ｆ）
（態様Ａ）乃至（態様Ｅ）において、前記対向部材の位置を検知する位置検知センサ２０などの位置検知手段を有する。これによれば、上記実施形態について説明したように、画像読取手段による画像読取精度を向上させることが可能となる。
（態様Ｇ）
（態様Ａ）乃至（態様Ｆ）において、前記対向部材と前記シート載置部材との接触を検知する上蓋開閉検知センサ３０などの接触検知手段を有する。これによれば、上記実施形態について説明したように、シート載置部材と対向部材とが接触した状態以外で加熱手段による加熱が開始されないようにすることが可能となる。
（態様Ｈ）
（態様Ａ）乃至（態様Ｇ）において、加熱消色記録剤が使用されているか否かの判定を行う範囲を、ユーザーが指定する判定範囲指定手段を有する。これによれば、上記実施形態について説明したように、加熱消色記録剤が使用されているか否かの判定にかかる時間の短縮化を図ることができる。
（態様Ｉ）
（態様Ａ）乃至（態様Ｈ）において、前記対向部材は、前記シート載置部材に対して開閉可能に設けられた蓋である。これによれば、上記実施形態について説明したように、シート載置部材に対する蓋の開閉動作に連動させて、画像読取手段による加熱前後の画像の読み取りを行うことが可能となる。
（態様Ｊ）
加熱消色インク使用判定装置１などの加熱消色記録剤使用判定装置において、（態様Ａ）乃至（態様Ｉ）のいずれか一記載の加熱消色記録剤使用判定用装置と、前記画像読取手段で読み取った加熱前後の画像情報に基づいて加熱消色記録剤が使用されているか否かを判定する判定部６ａなどの判定手段とを備える。これによれば、上記実施形態について説明したように、加熱消色記録剤が使用されたか否かを判定することができる。
【符号の説明】
【００６５】
１        加熱消色インク使用判定装置
５        メモリ
５ａ      加熱前画像情報保存部
５ｂ      加熱後画像情報保存部
６        制御部
６ａ      判定部
１１      シート保持台
１２      上蓋
１３      回動軸
１４      シート置き部
１５      加熱部
１６      画像読取部
１７      ランプ
１８      スピーカー
２０      位置検知センサ
３０      上蓋開閉検知センサ
５０      操作表示部
５０ａ    開始ボタン
５０ｂ    消色部分拡大ボタン
５０ｃ    保存設定画像
５０ｄ    指定範囲設定画面
５０ｅ    指定終了ボタン
５０ｆ    指定枠
１５１ａ  ヒータ
１５１ｂ  ヒータ
１５１ｃ  ヒータ
１５１ｄ  ヒータ
１６０    筐体
１６１    光源
１６２    反射ミラー
１６３    結像レンズ
１６４    走行体ユニット
１６５    撮像素子
１６６    カメラ
【先行技術文献】
【特許文献】
【００６６】
【特許文献１】特開２００６−１２３３２４号公報
【図１】
2016178352.tif 000003
【図２】
2016178352.tif 000004
【図３】
2016178352.tif 000005
【図４】
2016178352.tif 000006
【図５】
2016178352.tif 000007
【図６】
2016178352.tif 000008
【図７】
2016178352.tif 000009
【図８】
2016178352.tif 000010
【図９】
2016178352.tif 000011
【図１０】
2016178352.tif 000012
【図１１】
2016178352.tif 000013
【図１２】
2016178352.tif 000014
【図１３】
2016178352.tif 000015
【図１４】
2016178352.tif 000016
【図１５】
2016178352.tif 000017
【図１６】
2016178352.tif 000018